(57)【要約】【課題】電動機の分解整備作業において、勾配キーの引き抜き作業の作業効率が良く且つこの作業を安全に行なうことのできる電動機用勾配キー抜き取り装置を提供する。【解決手段】この勾配キー抜き取り装置１０は、前端１ｓが勾配キーＫの後端部に連結される案内ロッド１と、この案内ロッド１の後端側に連結されて台車３ｄと共にスライド移動可能な電磁石３と、案内ロッド１にその軸方向に沿ってスライド移動可能に外嵌される強磁性体製のハンマー２とを備えている。そして、電磁石３は、自身への電源が切断された状態にあっては、ハンマー２に対し勾配キーＫとは反対の側に所定間隔Ｄだけ隔離して対向配置されるとともに、自身への電源が投入された状態にあっては、通電によって発生する電磁力でハンマー２を自身に衝突させるまでは吸着するように配置される。【選択図】図１
0003168545.tif 000002
【実用新案登録請求の範囲】
【請求項１】
電動機の分解整備作業における勾配キーの引き抜き作業に用いられる勾配キー抜き取り装置であって、
自身前端が前記勾配キーの後端部に連結される案内ロッドと、該案内ロッドの後端側に連結されて台車と共にスライド移動可能な電磁石と、前記案内ロッドにその軸方向に沿ってスライド移動可能に外嵌される強磁性体製のハンマーとを備え、
前記電磁石は、自身への電源が切断された状態にあっては、前記ハンマーに対し前記勾配キーとは反対の側に所定間隔隔離して対向配置されるとともに、自身への電源が投入された状態にあっては、通電によって発生する電磁力で前記ハンマーを自身に衝突させるまでは吸着するように配置されることを特徴とするとする電動機用勾配キー抜き取り装置。
【請求項２】
前記ハンマーは、ハンマー用の台車上に固定されており、当該台車の下部には、前記案内ロッドの軸方向に沿って当該台車を移動可能な車輪を有することを特徴とする請求項１に記載の電動機用勾配キー抜き取り装置。
【請求項３】
前記電磁石の台車の高さおよび前記ハンマーの台車の高さを調整可能な高さ調整手段を少なくとも一方の台車に対して有する台座を備えることを特徴とする請求項２に記載の電動機用勾配キー抜き取り装置。
【請求項４】
前記ハンマーは、その側面に把手を有することを特徴とする請求項１から３のいずれか一項に記載の電動機用勾配キー抜き取り装置。
【請求項５】
前記案内ロッドの表面に、前記電磁石への電源を切断した状態での前記ハンマーと前記電磁石との所定間隔を設定するための目盛が設けられていることを特徴とする請求項１から４のいずれか一項に記載の電動機用勾配キー抜き取り装置。
【請求項６】
前記電磁石への電源を投入したときに、前記電磁石による前記ハンマーの吸引が開始される前に、前記電磁石による前記ハンマーの吸引を知らせる通報手段を有することを特徴とする請求項１から５のいずれか一項に記載の電動機用勾配キー抜き取り装置。
【考案の詳細な説明】
【技術分野】
【０００１】
本考案は、電動機の分解整備作業における勾配キーの引き抜き作業に用いられる勾配キー抜き取り装置に関する。
【背景技術】
【０００２】
電動機の分解整備作業に際しては、電動機のカップリングの外れを防止するための勾配キーを引き抜く必要がある。勾配キーは、電動機のカップリングが外れないように、シャフトの決められた位置に打ち込まれ、カップリングとシャフトとを強固に固定するのに用いられる部品であることから、電動機の分解整備作業において、必ず抜き取らなければならない。
【０００３】
しかし、勾配キーを引き抜くには、楔形状の勾配キーを、その打ち込み時と逆方向に向けて且つ芯ずれしないように、上下左右方向に均等な外力を軸方向に沿って加える必要がある。そこで、勾配キーを引き抜くために、従来、スライドハンマーが使用されている（スライドハンマーでキーを引き抜く例としては、例えば特許文献１参照）。
【先行技術文献】
【特許文献】
【０００４】
【特許文献１】特開２００７−２７６０９９号公報
【考案の概要】
【考案が解決しようとする課題】
【０００５】
電動機の分解整備作業においては、例えば図４に示すように、スライドハンマー１００の案内ロッド１０１の先端部１０１ｓを勾配キーＫの端面に溶接等によって連結（連結部Ｗ）し、手動でハンマー１０２を案内ロッド１０１の軸方向に沿って急速にすべらせ、対向配置された案内ロッド１０１上のストッパー１０３に打撃する必要がある。この打撃動作は、勾配キーＫの固定が、モータＭ側のカップリングＣから開放されて抜き取れるまで繰り返さなければならない。
【０００６】
しかしながら、ハンマー１０２をストッパー１０３に当接させる際の打撃力が強力なほど勾配キーＫをカップリングＣから早く抜き取れるものの、この打撃動作は作業者の手動によるものであるため、作業者が疲労するにつれ作業効率が悪化するという問題がある。また、ハンマー１０２の手動による打撃時に、ハンマー１０２とストッパー１０３との間に手指をはさむ危険を内在するという問題もある。
そこで、本考案は、このような問題点に着目してなされたものであって、電動機の分解整備作業において、勾配キーの引き抜き作業の作業効率が良く且つこの作業を安全に行なうことのできる電動機用勾配キー抜き取り装置を提供することを目的とする。
【課題を解決するための手段】
【０００７】
上記課題を解決するために、本考案は、電動機の分解整備作業における勾配キーの引き抜き作業に用いられる勾配キー抜き取り装置であって、自身前端が前記勾配キーの後端部に連結される案内ロッドと、該案内ロッドの後端側に連結されて台車と共にスライド移動可能な電磁石と、前記案内ロッドにその軸方向に沿ってスライド移動可能に外嵌される強磁性体製のハンマーとを備え、前記電磁石は、自身への電源が切断された状態にあっては、前記ハンマーに対し前記勾配キーとは反対の側に所定間隔隔離して対向配置されるとともに、自身への電源が投入された状態にあっては、通電によって発生する電磁力で前記ハンマーを自身に衝突させるまでは吸着するように配置されることを特徴とする。
【０００８】
本考案に係る電動機用勾配キー抜き取り装置によれば、電磁石への電源を切断した状態で、ハンマーと電磁石を所定間隔だけ隔離したのち、電磁石への電源を投入することでハンマーを電磁石側に電磁力で吸引し、この吸引されたハンマーを電磁石に衝突させたときの打撃力を、勾配キーを引き抜くエネルギーとして作用させることができる。
そのため、作業者の手動に比して強い打撃力を容易に得ることができる。したがって、勾配キーの引き抜き作業の作業効率が良い。また、この打撃動作は作業者の手動によるものではなく、電磁石による電磁力での吸引である。そのため、勾配キーの引き抜き作業を安全に行なうことができる。
【０００９】
ここで、本考案に係る電動機用勾配キー抜き取り装置において、前記ハンマーが、ハンマー用の台車上に固定されており、当該台車の下部には、前記案内ロッドの軸方向に沿って当該台車を移動可能な車輪を有することは好ましい。このような構成であれば、大型のハンマーであっても円滑に案内ロッドの軸方向に沿ってスライド移動可能なので、電磁石の吸引による打撃力を向上させる上で好適である。
【００１０】
また、本考案に係る電動機用勾配キー抜き取り装置において、前記電磁石の台車の高さおよび前記ハンマーの台車の高さを調整可能な高さ調整手段を少なくとも一方の台車に対して有する台座を備えることは好ましい。このような構成であれば、電磁石およびハンマーの少なくとも一方の高さを調節することができる。そのため、種々の電動機の軸線の高さに合わせて本考案に係る電動機用勾配キー抜き取り装置を設置する上で一層好適である。
【００１１】
また、本考案に係る電動機用勾配キー抜き取り装置において、前記ハンマーは、その側面に把手を有することは好ましい。このような構成であれば、電磁石への電源を切断した状態において、ハンマーを案内ロッドの軸方向に沿って作業者が手でスライド移動させるときに、この把手を持つことができる。そのため、電磁石への電源を切断した状態でのハンマーと電磁石との所定間隔を設定する作業の作業性を一層向上させることができる。
【００１２】
また、本考案に係る電動機用勾配キー抜き取り装置において、前記案内ロッドの表面に、前記電磁石への電源を切断した状態での前記ハンマーと前記電磁石との所定間隔を設定するための目盛が設けられていることは好ましい。このような構成であれば、ハンマーと電磁石との所定間隔を設定する作業性を一層向上させることができる。また、本考案に係る電動機用勾配キー抜き取り装置において、前記電磁石への電源を投入したときに、前記電磁石による前記ハンマーの吸引が開始される前に、前記電磁石による前記ハンマーの吸引を知らせる通報手段を有することは好ましい。このような構成であれば、勾配キーの引き抜き作業を一層安全に行なうことができる。
【考案の効果】
【００１３】
本考案によれば、上記のような電動機用勾配キー抜き取り装置であるので、電動機の分解整備作業において、勾配キーの引き抜き作業の作業効率が良く且つこの作業を安全に行なうことができる。
【図面の簡単な説明】
【００１４】
【図１】本考案に係る電動機用勾配キー抜き取り装置の一実施形態を示す説明図である。
【図２】図１に示す電動機用勾配キー抜き取り装置の動作（使用方法）を説明する図であり、同図では、ハンマーが電磁石に衝突する瞬間の状態を示している。
【図３】図１に示す電動機用勾配キー抜き取り装置の動作（使用方法）を説明する図あり、同図では、ハンマーが電磁石に衝突後に、電磁石と共に後方に移動した状態を示している。
【図４】従来の手動操作式のスライドハンマーの一例を示す図である。
【考案を実施するための形態】
【００１５】
以下、本考案に係る電動機用勾配キー抜き取り装置の一実施形態について、図面を適宜参照しつつ説明する。
図１に示すように、この勾配キー抜き取り装置１０は、モータ（電動機）Ｍの分解整備作業において、モータＭに付設されたカップリングＣに打ち込まれている勾配キーＫの引き抜き作業に用いられるものであり、案内ロッド１と、ハンマー２と、電磁石３とを備えて構成されている。
案内ロッド１は、自身前端が勾配キーＫの後端部に溶接によって連結される（同図では、溶接後の状態を示しており、同図の符号Ｗが、溶接による連結部）。そして、この案内ロッド１の後端側は、上記電磁石３が不図示のネジ等により着脱可能に連結される。
【００１６】
この電磁石３は、台車３ｄ上に不図示のボルトによって固定されている。台車３ｄの下部には、モータＭの軸方向に沿って当該台車３ｄを移動可能な車輪３ｂを左右両側（計４個）に有する。これにより、電磁石３が、台車３ｄと共にモータＭの軸方向に沿ってスライド移動可能に載置されている。更に、この台車３ｄは、台車３ｄの高さを調整可能なように、高さ調整手段４ｋを有する台座４上に載置されている。この台座４の高さ調整手段としては、例えば油圧シリンダや、機械式であればジャッキ等を採用することができる。なお、本実施形態では、台座４の下部にも、案内ロッド１の軸方向に沿って当該台座４を移動可能な車輪４ｂを左右両側（計４個）に有する。これにより、この勾配キー抜き取り装置１０全体を容易に移動可能になっている。そして、勾配キー抜き取り装置１０をモータMに対して設置したときには、台座４の車輪４ｂが動かないように、車止め具６で固定する。
【００１７】
電磁石３は、内部の電磁コイルへの直流電源（不図示）の入り切りにより磁力の発生、消滅をするもので、磁力発生により一定距離内のハンマー２を十分に吸引する能力をもつものである。なお、この直流電源には、遅延素子を利用した不図示のディレイ回路と、電源の投入と同時にブザーおよびランプの点灯を行なう不図示の通報手段が付設されている。これにより、電磁石３への電源を投入したときに、ディレイ回路を介して電磁石３への電源が投入され、これにより、電磁石３によるハンマー２の吸引が開始される前に、ブザーおよびランプの点灯がなされることで、電磁石３によるハンマー２の吸引開始を事前に周囲に通報可能になっている。
【００１８】
ハンマー２は、案内ロッド１の外径よりも径の大きな内径の貫通孔を有しており、前記案内ロッド１に対して、案内ロッド１の軸方向に沿ってスライド移動可能に外嵌されている。このハンマー２は強磁性体製である。この例では、ハンマー２は、円環状をなす鉄製のハンマー本体２ｃを有し、このハンマー本体２ｃが台車２ｄ上に固定されている。この台車２ｄの下部には、案内ロッド１の軸方向に沿って当該台車２ｄを移動可能な車輪２ｂを左右両側（計４個）に有する。また、このハンマー２は、その左右の側面に把手２ａを有する（計２個）。なお、この例では、台車２ｄの側面に把手２ａを付設した例を示すが、把手２ａをハンマー本体２の側面に設けてもよい。さらに、この例では、このハンマー２についても台車２ｄが上記台座４上に載置され、台座４の高さ調整手段４ｋが、ハンマー２の台車２ｄの高さを調整可能な高さ調整手段を兼ねている。また、台座４上部の載置面には、ハンマー２および電磁石３のスライド方向の前後の移動を制限するためのストッパー４ｓがそれぞれに対して設けられている。なお、本実施形態では、ハンマー２および電磁石３の高さ調整手段が、上記台座４の高さ調整手段４ｋによって兼用されている例を示したが、ハンマー２および電磁石３の高さ調整手段をそれぞれ別個に設けてもよい。
【００１９】
ここで、この勾配キー抜き取り装置１０においては、上記電磁石３は、電磁石３自身への電源（不図示）が切断された状態にあっては、ハンマー２に対し勾配キーＫとは反対の側（同図では左側）に所定間隔Ｄだけ隔離して対向配置される。さらに、電磁石３自身への電源が投入された状態にあっては、通電によって発生する電磁力でハンマー２を自身に衝突させるまでは吸着するように配置される。なお、この例では、案内ロッド１の表面には、電磁石３への電源を切断した状態でのハンマー２と電磁石３との所定間隔Ｄを設定するための複数の目盛１ｍが軸方向に沿って等間隔に設けられている。
【００２０】
次に、この勾配キー抜き取り装置１０を使用した勾配キーＫの抜き取り作業、およびこの勾配キー抜き取り装置１０の作用・効果について説明する。
上述の構成を有する勾配キー抜き取り装置１０を用いて勾配キーＫの抜き取り作業を行なう場合、図１に示すように、まず初めに、作業者は、勾配キーＫの後端面と案内ロッド１の前端部１ｓとを溶接により一体化する（同図の符号Ｗで示す連結部）。
【００２１】
次いで、作業者は、予め台座４の高さ調整手段４ｋによって台車２ｂの高さを、モータＭの軸線の高さに合わせて調整する（この例ではこのときに電磁石３軸線の高さも同時に調整される）。そして、この状態のハンマー２（ハンマー本体２ｃ）を、案内ロッド１が貫通するように案内ロッド１の後端側（同図の左側）から挿入して取り付ける。次いで、作業者は、案内ロッド１の後端側を、予め台座４の高さ調整手段によって高さを調整された状態の電磁石３の吸引方向に沿ってネジ等により固定する。
以上の準備を行なった後に、台座４上に台車３ｄと共にスライド移動可能に載置された電磁石３の吸引による打撃を行なう。
【００２２】
まず、作業者は、電磁石３の電源を「切」にしておき、図１に示すように、電磁石３のハンマー２側を向く面３ｔとハンマー２の電磁石３側を向く面２ｔを所定間隔Ｄだけ離隔して配置する。次いで、作業者は電磁石３の電源を投入する。これにより、電源投入直後に、通報手段であるブザーが鳴動するとともに警告のランプが点灯する。そして、所定のディレイ時間後に、電磁石３の強力な磁力によりハンマー２は電磁石３のハンマー２側を向く面３ｔに向けて一気に吸引される。そのため、ハンマー２が案内ロッド１に沿って同図左方向にスライド移動し、図２に示すように、対向位置にある電磁石３にハンマー２が衝突する。
【００２３】
そのため、この衝突による電磁石３への打撃力、つまりハンマー２のもつ運動エネルギーを、電磁石３に固定された案内ロッド１と一体化した勾配キーＫを引き抜くエネルギーとして勾配キーＫを引き抜く方向に作用させることができる。これにより、図３に示すように、電磁石３が台車３ｄと共に後方に向けて台座４上をスライド移動するため、電磁石３に連結固定されている案内ロッド１を介して勾配キーＫを引き抜くことができる。以下、モータＭのカップリングＣと勾配キーＫ相互の固定状態の強弱に応じて、以上の動作を勾配キーＫが抜き取れるまで打撃を繰り返す。
【００２４】
以上説明したように、この勾配キー抜き取り装置１０によれば、電磁石３への電源を切断した状態で、ハンマー２と電磁石３を所定間隔Ｄだけ隔離したのち、電磁石３への電源を投入することでハンマー２を電磁石３側に電磁力で吸引し、この吸引されたハンマー２を電磁石３に衝突させたときの打撃力を、勾配キーＫを引き抜くエネルギーとして作用させることができる。そのため、作業者の手動に比して強い打撃力を容易に得ることができるため、勾配キーＫの引き抜き作業の作業効率が良い。また、この打撃動作は作業者の手動によるものではなく、電磁石３による電磁力での吸引であるため、勾配キーＫの引き抜き作業を安全に行なうことができる。
【００２５】
また、この勾配キー抜き取り装置１０によれば、ハンマー２が台車２ｄ上に固定されており、この台車２ｄの下部には、案内ロッド１の軸方向に沿って台車２ｄを移動可能な車輪２ｂを有するので、ハンマー２が大型であっても円滑に案内ロッド１の軸方向に沿ってスライド移動させることができる。そのため、電磁石３の吸引による打撃力を向上させる上で好適である。
【００２６】
また、この勾配キー抜き取り装置１０によれば、電磁石３の台車３ｄの高さ、およびハンマー２の台車２ｄの高さを調整可能な高さ調整手段４ｋを台座４に有するので、電磁石３およびハンマー２の高さを調節することができる。そのため、種々のモータＭの軸線の高さに合わせて電動機用勾配キー抜き取り装置１０を設置することができる。
また、この勾配キー抜き取り装置１０によれば、ハンマー２は、その側面に把手２ａを有するので、電磁石３への電源を切断した状態において、ハンマー２を案内ロッド１の軸方向に沿って作業者が手でスライド移動させるときに、この把手２ａを手で持って作業をすることができる。そのため、電磁石３への電源を切断した状態でのハンマー２と電磁石３との所定問隔Ｄを設定する作業の作業性がよい。
【００２７】
また、この勾配キー抜き取り装置１０によれば、案内ロッド１の表面に、電磁石３への電源を切断した状態でのハンマー２と電磁石３との所定間隔Ｄを設定するための目盛１ｍが設けられているので、ハンマー２と電磁石３との所定間隔Ｄを設定する作業性を一層向上させることができる。
また、この勾配キー抜き取り装置１０によれば、電磁石３への電源を投入したときに、電磁石３によるハンマー２の吸引が開始される前に、電磁石３によるハンマー２の吸引を知らせる通報手段を有するので、勾配キーＫの引き抜き作業を一層安全に行なうことができる。
【００２８】
なお、本考案に係る勾配キー抜き取り装置は、上記実施形態に限定されるものではなく、本考案の趣旨を逸脱しなげれば種々の変形が可能であることは勿論である。
例えば、上記実施形態では、ハンマー２が鉄製の例で説明したが、これに限定されず、電磁石３に吸着可能な強磁性体製であれば、種々の材料から製作可能である。
【００２９】
また、例えば上記実施形態では、ハンマー２が、ハンマー本体２ｃ、および車輪２ｂを有する台車２ｄから構成され、また、把手２ａが付設された例で説明したが、これに限らず、例えば、小型のモータＭの勾配キーＫの引き抜き作業用であれば、ハンマー２を円環状のハンマー本体２ｃのみから構成してもよい。しかし、種々のモータＭの軸線の高さに合わせて電動機用勾配キー抜き取り装置１０を設置可能としたり、特に、大型のモータＭの勾配キーＫの引き抜き作業用であれば、上記実施形態の構成を採用することは好ましい。また、把手２ａが付設しない構成としてもよいが、ハンマー２と電磁石３との所定間隔Ｄを設定する際の作業性を向上させる上では、把手２ａを付設した構成が好ましい。また、ハンマー２と電磁石３との所定間隔Ｄを設定するための目盛１ｍの採否についても同様である。
【００３０】
また、例えば上記実施形態では、電磁石３への電源を投入したときに、電磁石３によるハンマー２の吸引が開始される前に、電磁石３によるハンマー２の吸引を知らせる通報手段を有する例で説明したが、通報手段を有しない構成としてもよい。しかし、勾配キーＫの引き抜き作業を一層安全に行なう上では、このような通報手段を有する構成を採用することが望ましい。
【符号の説明】
【００３１】
１    案内ロッド
２    ハンマー
３    電磁石
４    台座
１０    勾配キー抜き取り装置
Ｃ    カップリング
Ｄ    所定間隔
Ｋ    勾配キー
Ｍ    モータ（電動機）
Ｗ    連結部
【図１】
0003168545.tif 000003
【図２】
0003168545.tif 000004
【図３】
0003168545.tif 000005
【図４】
0003168545.tif 000006